(57)【要約】【課題】最小限の大きさの鍵盤蓋で鍵盤を覆うと共に、楽器本体内のスペースを有効利用して鍵盤蓋を収容する。【解決手段】前後方向における取付部６８と前板部６４との間であって、上下方向における白鍵本体２０ａの後部２０ａ１及び黒鍵本体４０ａの接続部４０ａ１と天板６６との間に形成される収容部Ｓ１に、巻き取りローラ６１が配設される。棒状部材６３を把持して前方に引っ張ると、シート蓋６２は、巻き取りローラ６１の巻き取り方向の付勢力に抗して前板部６４の開口部６５から前方に繰り出され、鍵盤ＫＢ全体を覆う閉蓋状態となる。一方、開蓋する際には、棒状部材６３を把持して、巻き取りローラ６１の巻き取り力を利用してシート蓋６２を巻き取らせる。棒状部材６３が前板部６４の開口部６５近傍の前面に当接すると、巻き取り状態となって収容される。【選択図】図１
2008083284.tif 000002
【特許請求の範囲】
【請求項１】
楽器本体に設けられた鍵盤を覆うための鍵盤楽器の鍵盤蓋構造であって、
前記楽器本体の内部において、前記鍵盤の鍵本体後部の上方に設けられた収容部と、
前記収容部の前側に形成された開口部と、
巻き取り状態または折りたたみ状態で前記収容部に収容されると共に、前記開口部から前方に繰り出された状態で前記鍵盤を上方から覆うシート状の鍵盤蓋と、
前記鍵盤蓋の前縁に取り付けられた鍵並び方向に長尺の把持部とを有することを特徴とする鍵盤楽器の鍵盤蓋構造。
【請求項２】
楽器本体に設けられた鍵盤を覆うための鍵盤楽器の鍵盤蓋構造であって、
前記楽器本体の内部において、前記鍵盤の鍵本体後部の上方に設けられた収容部と、
前記収容部内に設けられた巻き取りローラと、
前記収容部の前側に形成された開口部と、
前記巻き取りローラに巻き取られた状態で前記収容部に収容されると共に、前記開口部から前方に繰り出された状態で前記鍵盤を上方から覆うシート状の鍵盤蓋と、
前記鍵盤蓋の前縁に取り付けられた鍵並び方向に長尺の把持部とを有することを特徴とする鍵盤楽器の鍵盤蓋構造。
【請求項３】
前記鍵盤蓋は、前記開口部から前方に繰り出された状態において鍵並び方向に長尺の短冊状部材が前後方向に沿って複数接続されてなり、前記収容部に収容される際には、前記短冊状部材が前後方向に積層状態となることで前記折りたたみ状態となるように構成されていることを特徴とする請求項１記載の鍵盤楽器の鍵盤蓋構造。
【発明の詳細な説明】
【技術分野】
【０００１】
本発明は、楽器本体に設けられた鍵盤を覆うための鍵盤楽器の鍵盤蓋構造に関する。
【背景技術】
【０００２】
従来、鍵盤楽器において、鍵盤を覆う鍵盤蓋が設けられたものが知られている。例えば、下記特許文献１の鍵盤楽器の鍵盤蓋構造は、鍵盤蓋となるシートを収容する収容部を、楽器本体後部または天板上部に設け、収容部内のローラにシートを巻き取ることで開蓋状態となり、前方に繰り出すことで、シートが鍵盤を覆う閉蓋状態となるように構成される。
【０００３】
しかし、上記収容部を設けるために、それ専用のスペースを確保しなければならない。そのため、楽器本体後部に設けた場合は、楽器本体のサイズが大型化する。また、天板上部に設けた場合は、収容部が天板上方に突出して楽器全体の高さが高くなるだけでなく、専用の巻き取り装置として構成するために構成が複雑化する。
【０００４】
一方、下記特許文献２においても、楽器本体の内部に鍵盤蓋を巻き取って収納するように構成される。この鍵盤蓋構造では、シート状の鍵盤蓋を収容する収容部は、鍵盤の後方に配置されている。
【特許文献１】特開２００５−３３８２８４号公報
【特許文献２】実公昭４７−６９９８号公報
【発明の開示】
【発明が解決しようとする課題】
【０００５】
しかしながら、鍵盤より後方位置には、特に電子鍵盤楽器においては、設計上、スイッチ類を有するパネル部やスピーカを配設したい場合があることから、この位置に蓋収容部を設けるためには、それ専用のスペースを楽器本体内に確保することになり、結果として楽器本体が大型化するという問題がある。また、収容部を設ける位置によっては、パネル部やスピーカ等の部品配設の自由度が低くなる。
【０００６】
一方、パネル部やスピーカ等の配設スペースを確保した上で、これらをも鍵盤蓋で覆うことができるように、パネル部やスピーカよりも後ろの位置に蓋収容部を設けることも考えられる。しかし、そうすると、鍵盤蓋自体が前後方向に長くなって大型化するという問題がある。
【０００７】
本発明は上記従来技術の問題を解決するためになされたものであり、その目的は、最小限の大きさで鍵盤蓋を構成すると共に、楽器本体内のスペースを有効利用して蓋を収容することができる鍵盤楽器の鍵盤蓋構造を提供することにある。
【課題を解決するための手段】
【０００８】
上記目的を達成するために本発明の請求項１の鍵盤楽器の鍵盤蓋構造は、楽器本体（１００）に設けられた鍵盤（ＫＢ）を覆うための鍵盤楽器の鍵盤蓋構造であって、前記楽器本体の内部において、前記鍵盤の鍵本体後部（２０ａ１、４０ａ１）の上方に設けられた収容部（Ｓ１、Ｓ２）と、前記収容部の前側に形成された開口部（６５、９４）と、巻き取り状態または折りたたみ状態で前記収容部に収容されると共に、前記開口部から前方に繰り出された状態で前記鍵盤を上方から覆うシート状の鍵盤蓋（６２、１０７）と、前記鍵盤蓋の前縁（６２ａ）に取り付けられた鍵並び方向に長尺の把持部（６３、９１）とを有することを特徴とする。
【０００９】
上記目的を達成するために本発明の請求項２の鍵盤楽器の鍵盤蓋構造は、楽器本体に設けられた鍵盤を覆うための鍵盤楽器の鍵盤蓋構造であって、前記楽器本体の内部において、前記鍵盤の鍵本体後部の上方に設けられた収容部（Ｓ１）と、前記収容部内に設けられた巻き取りローラ（６１）と、前記収容部の前側に形成された開口部（６５）と、前記巻き取りローラに巻き取られた状態で前記収容部に収容されると共に、前記開口部から前方に繰り出された状態で前記鍵盤を上方から覆うシート状の鍵盤蓋（６２）と、前記鍵盤蓋の前縁に取り付けられた鍵並び方向に長尺の把持部（６３、９１）とを有することを特徴とする。
【００１０】
好ましくは、前記鍵盤蓋は、前記開口部から前方に繰り出された状態において鍵並び方向に長尺の短冊状部材（９５）が前後方向に沿って複数接続されてなり、前記収容部に収容される際には、前記短冊状部材が前後方向に積層状態となることで前記折りたたみ状態となるように構成されていることを特徴とする（請求項３）。
【００１１】
なお、上記括弧内の符号は例示である。
【発明の効果】
【００１２】
本発明によれば、最小限の大きさの鍵盤蓋で鍵盤を覆うと共に、楽器本体内のスペースを有効利用して鍵盤蓋を収容することができる。
【発明を実施するための最良の形態】
【００１３】
以下、本発明の実施の形態を図面を参照して説明する。
【００１４】
（第１の実施の形態）
図１は、本発明の第１の実施の形態に係る鍵盤蓋構造が適用される鍵盤装置の縦断面図である。この鍵盤装置１は、電子鍵盤楽器として構成される。以降、鍵盤装置１の奏者側（同図左方）を前方と呼称する。
【００１５】
図１に示すように、鍵盤装置１において、上ケース６０と下ケース７０とで構成される楽器本体１００に、鍵盤ＫＢが配設される。楽器本体１００には鍵フレーム１０が配設され、鍵フレーム１０には、複数の白鍵２０及び複数の黒鍵４０から成る鍵ユニットＫＵが複数配設されて、鍵盤ＫＢが構成される。各鍵ユニットＫＵの共通基端部３０は、鍵フレーム１０と上ケース６０の天板６６から下方に垂設された取付部６８とに、ネジ８２で共締め状態で固定され、白鍵２０、黒鍵４０の各々の自由端部が上下方向に回動（乃至揺動）自在にされている。鍵盤ＫＢは、左右両端に設けられた腕木３９の間に配設される。天板６６には、多数のスイッチ類を有するパネル部６７が配設される。
【００１６】
鍵フレーム１０は、下ケース７０に対して、複数のネジ７２、７４で結合される。また、下ケース７０、上ケース６０及び鍵フレーム１０が、各々の前部において、複数のネジ７１で共締めにより結合される。さらに、下ケース７０と上ケース６０とが、各々の後部の適所において複数のネジで結合される（図示せず）。
【００１７】
以降、鍵盤装置１の構成要素のうち、白鍵２０、黒鍵４０に対応し、且つ同種のものについて、区別せずに同じ符号を用いる場合がある。
【００１８】
鍵フレーム１０には、白鍵２０、黒鍵４０の各々に対応して、質量体５０が設けられる。各質量体５０は、回動支点部Ｐ１を中心に上下方向に回動自在に支持される。質量体５０の後端部５２には質量のほとんどが集中している。質量体５０は、対応する鍵と連動して回動し、回動することで、対応する鍵に対して適当な慣性力を付与し、アコースティックピアノのようなタッチ感触を実現している。
【００１９】
鍵フレーム１０の後部において、上側に上限ストッパ８３、下側に下限ストッパ８４が設けられる。質量体５０の後端部５２が下限ストッパ８４に当接することで、質量体５０及びそれに対応する鍵の非押鍵位置（回動初期位置）が規制される。一方、質量体５０の後端部５２が上限ストッパ８３に当接することで、質量体５０及びそれに対応する鍵の押鍵終了位置（回動終了位置）が規制される。
【００２０】
また、鍵フレーム１０に設けられた基板８０上に、押鍵スイッチ８１が白鍵２０、黒鍵４０の各々に対応して設けられ、これらの押鍵スイッチ８１が、対応する鍵の押下操作を検出する。下ケース７０には、メイン回路が配設されると共に、左右両端部に、一対のスピーカが配設される（いずれも図示せず）。押鍵スイッチ８１による検出結果に基づき、上記スピーカから楽音が発生する。
【００２１】
また、鍵フレーム１０の前部には押鍵動作の案内をするキーガイド部１２が各白鍵２０に対応して設けられる。キーガイド部１２により、白鍵２０の前端部２０ａ２は、その左右方向の移動が規制されて、上下方向に適切に動作するようになっている。
【００２２】
１つの鍵ユニットＫＵは、詳細は図示しないが、２つの白鍵ユニットと１つの黒鍵ユニットとがそれらの基端部で積層されて成る。１つの鍵ユニットＫＵは、例えば、１オクターブを単位として構成されるが、これに限られない。
【００２３】
各白鍵２０は、共通基端部３０に、薄板状の水平ヒンジ２２を介して白鍵本体２０ａが連結されて構成される。白鍵本体２０ａの後部２０ａ１は、水平ヒンジ２２とほぼ平行である。黒鍵４０は、共通基端部３０に、薄板状の水平ヒンジ２２を介して黒鍵本体４０ａが連結されて構成される。黒鍵本体４０ａは、上方に盛り上がった被操作部４０ａ２と、被操作部４０ａ２と、水平ヒンジ２２との間を繋ぐ接続部４０ａ１とからなる。水平ヒンジ２２が上下方向に撓むことで、白鍵２０、黒鍵４０の各自由端部が、押離鍵方向（上下方向）に回動自在になる。
【００２４】
上ケース６０の天板６６の前部からは前板部６４が斜め前方下方に延びている。前板部６４の下端は、黒鍵本体４０ａの被操作部４０ａ２の後端の直ぐ後ろに位置する。取付部６８は、１つの鍵ユニットＫＵに対して複数存在し、鍵盤装置１において鍵並び方向に沿って多数存在する。前後方向における取付部６８と前板部６４との間であって、上下方向における白鍵本体２０ａの後部２０ａ１及び黒鍵本体４０ａの接続部４０ａ１と天板６６との間に形成される空間が、収容部Ｓ１となっている。収容部Ｓ１には、軸心が鍵並び方向に沿った巻き取りローラ６１が配設されている。巻き取りローラ６１は、パネル部６７よりも前方に位置している。
【００２５】
巻き取りローラ６１は、シート蓋６２を巻き取り可能になっている。巻き取りローラ６１は、同図時計方向に常に付勢されており、シート蓋６２を常に巻き取り方向に引っ張っている。シート蓋６２の鍵並び方向の長さ（幅）は、鍵盤ＫＢを十分にカバーできる程度となっている。シート蓋６２は布、ビニル等の柔軟性素材で構成されている。
【００２６】
図２（ａ）は、前板部６４の正面図、図２（ｃ）は、シート蓋６２の収容状態を示す収容部Ｓ１の拡大図である。図２（ｂ）については後述する。図１、図２（ａ）に示すように、前板部６４には、鍵並び方向に沿ってスリット状の開口部６５が形成されている。開口部６５は、シート蓋６２が前後方向に円滑に通過できるような鍵並び方向の長さ及び上下方向の幅を有している。なお、図２（ｂ）に変形例を示すように、前板部６４を、上側前板部６４ａと下側前板部６４ｂとに分離して構成し、両者間に開口部６５が形成されるように構成してもよい。その場合は、下側前板部６４ｂの左右両端部を、楽器本体１００のいずれかの部分に対して固定するようにする。
【００２７】
図３（ａ）は、シート蓋６２の前部の平面図である。図３（ｂ）については後述する。図２（ｃ）、図３（ａ）に示すように、シート蓋６２の前縁６２ａには、鍵並び方向に長尺の硬質部材で且つ磁性体でなる棒状部材６３が接着等によって固定されている。棒状部材６３を把持して前方に引っ張ると、シート蓋６２は、巻き取りローラ６１の巻き取り方向の付勢力に抗して前方に繰り出される。
【００２８】
図１に示す左右の腕木３９の前端上部３９ａには、不図示の磁石が埋め込まれており、シート蓋６２が繰り出された状態で、棒状部材６３を前端上部３９ａに載置すると、磁力により棒状部材６３が前端上部３９ａに吸着する。これにより、シート蓋６２にテンションがかかった状態で、鍵盤ＫＢ全体がシート蓋６２に上方から覆われた閉蓋状態となる（図１参照）。
【００２９】
一方、開蓋する際には、棒状部材６３を把持して前端上部３９ａから離し、巻き取りローラ６１の巻き取り力を利用して、半自動的にシート蓋６２を巻き取りローラ６１に巻き取らせる。シート蓋６２が巻き取られていくと、やがて、図２（ｃ）に示すように、棒状部材６３が、前板部６４の開口部６５近傍の前面に当接して、巻き取り状態となる。これにより、シート蓋６２がテンションを保った状態でその大半が収容部Ｓ１に収容される収容状態となる。
【００３０】
棒状部材６３によって、シート蓋６２の前縁６２ａの位置が鍵並び方向に沿って揃っているので、シート蓋６２の出し入れ（開閉）操作が容易であるだけでなく、シート蓋６２の左右方向のたるみが回避される。なお、図３（ｂ）に変形例を示すように、シート蓋６２の前縁６２ａのうち所定間隔の複数の部位６２ｂを棒状部材６３に固定するようにしてもよい。
【００３１】
本実施の形態によれば、最小限の大きさの鍵盤蓋（シート蓋６２）で鍵盤ＫＢを覆うと共に、楽器本体１００内のスペースを有効利用して鍵盤蓋を収容することができる。
【００３２】
すなわち、楽器本体１００の上部における鍵盤ＫＢの後方の空間には、図１に示すように、取付部６８、パネル部６７が配設されている。また、押鍵終了状態においては、質量体５０の後端部５２が、楽器本体１００の後部においてかなり高い位置（押鍵面近く）まで上がるため、そのための空間を確保しておかなければならない。
【００３３】
その一方、白鍵本体２０ａの後部２０ａ１や黒鍵本体４０ａの接続部４０ａ１の上方の領域に配置することが必須の部品は皆無に近い。そこで、この領域を収容部Ｓ１として、ここに巻き取りローラ６１を配設したことで、上記領域がデッドスペースにならず、楽器本体１００内のスペースを有効利用して、省スペースを図ることができる。
【００３４】
ところで、質量体５０の後端部５２の上限位置よりも後方に収容部Ｓ１を設けたとすると、楽器本体１００全体が前後方向に長大化するが、本実施の形態では、それが回避され、楽器本体１００のコンパクト化が実現されている。それだけでなく、巻き取りローラ６１が可能な限り前方、具体的には黒鍵本体４０ａの被操作部４０ａ２の直ぐ後ろに位置するので、シート蓋６２の前後長を最小限とすることができ、巻き取り時の直径が小さくて済むと共に、素材コスト削減にも寄与している。巻き取りローラ６１が可能な限り前方に位置するので、巻き取りローラ６１よりも後方の領域において、配設される部品の配設の自由度が高くなるという効果もある。
【００３５】
また、巻き取りローラ６１は、パネル部６７よりも前方に位置しているので、パネル部６７を覆うことなく鍵盤ＫＢだけを覆うことができる。
【００３６】
また、シート蓋６２の収容状態においては、棒状部材６３が前板部６４の開口部６５近傍に当接するので、巻き取り方向のストッパ機能を果たす。それだけでなく、開口部６５の栓の役割を果たすので、楽器本体１００内に埃等が進入することを抑制することができる。
【００３７】
（第２の実施の形態）
上記第１の実施の形態では、シート蓋６２の閉蓋状態を、腕木３９の前端上部３９ａと棒状部材６３との磁力による吸着で維持した。これに対して、本発明の第２の実施の形態では、係止によって閉蓋状態を維持する。
【００３８】
図４（ａ）は、本発明の第２の実施の形態に係る鍵盤蓋構造が適用される鍵盤装置の前半部の平面図である。図４（ｂ）は、本実施の形態における左側の腕木３９の斜視図、図４（ｃ）は、左側の腕木３９の前部の断面図である。
【００３９】
図４（ａ）に示すように、シート蓋６２の前縁６２ａには、棒状部材６３に代えて棒状部材９１が取り付けられている。図４（ａ）、（ｃ）に示すように、棒状部材９１の左右両端には、丸棒状の係合部９２が突出して設けられている。図４（ｂ）に示すように、腕木３９の内側面には、前後方向に沿って溝９３が形成されている。溝９３の前端部は、下方に曲がった鉤状係止部９３ａとなっている。右側の腕木３９の内側面にも左右対称に同様の溝が形成されている。左右の係合部９２は、対応する溝９３に常時係合している。その他の構成は第１の実施の形態と同様である。
【００４０】
かかる構成において、シート蓋６２の開閉操作は、棒状部材９１を把持して棒状部材９１を左右方向に平行に保った状態でシート蓋６２を出し入れすることで行う。その際、溝９３が棒状部材９１の動作ガイド機能を果たし、シート蓋６２を前後方向に円滑に出し入れ操作できる。
【００４１】
また、左右の係合部９２が溝９３の前端に到達した状態で、棒状部材９１をその自重を利用して下げるようにすると、係合部９２が鉤状係止部９３ａに嵌入されて係合する。これにより、テンションがかかった状態でシート蓋６２の閉蓋状態が維持される。
【００４２】
本実施の形態によれば、第１の実施の形態と同様の効果を奏することができる。
【００４３】
なお、開蓋状態を維持するために、棒状部材９１を腕木３９等に係止する構成は、鉤状係止部９３ａという構成に限られない。第１、第２の実施の形態において、腕木３９等に係止部を設け、棒状部材６３、９１にはそれに対応するフックのような被係止部を設けてもよい。
【００４４】
（第３の実施の形態）
図５は、本発明の第３の実施の形態に係る鍵盤蓋構造が適用される鍵盤装置の縦断面図である。
【００４５】
本第３の実施の形態では、第１の実施の形態に対して、質量体５０を廃止した点、及び、スピーカとメイン回路の配置が異なり、その他の構成は同様である。また、第１の実施の形態におけるパネル部６７に相当するパネル部が、前板部６４の前面における開口部６５より下方の部分に配設されており、このパネル部が、鍵盤ＫＢと共にシート蓋６２で覆われる。
【００４６】
図５に示すように、鍵フレーム１０と白鍵本体２０ａの後部２０ａ１及び黒鍵本体４０ａの接続部４０ａ１との間には、復帰用バネ７３が各鍵に対応して設けられる。質量体５０を廃止した代わりに、白鍵２０及び黒鍵４０は、押鍵終了後の復帰力を復帰用バネ７３から得るようになっている。
【００４７】
また、質量体５０を廃止して生じたスペースに、メイン回路７５及びスピーカ６９が配設される。すなわち、楽器本体１００の後部下半部にメイン回路７５が配設され、楽器本体１００の左右両端部の上部にスピーカ６９が配設される。スピーカ６９は、天板６６側から放音されるように配置され、巻き取りローラ６１と同程度の高さに位置する。
【００４８】
第１の実施の形態でも説明したが、巻き取りローラ６１が前方に位置して、巻き取りローラ６１よりも後方の領域において、部品配設の自由度が高くなっているため、楽器本体１００をコンパクトに維持しつつも、スピーカ６９の配置が容易に実現されている。
【００４９】
本実施の形態によれば、第１の実施の形態と同様の効果を奏することができる。
【００５０】
（第４の実施の形態）
図６（ａ）は、本発明の第４の実施の形態に係る鍵盤蓋構造の模式図である。
【００５１】
本第４の実施の形態では、第１の実施の形態における収容部Ｓ１（図１参照）に相当する位置に、収容部Ｓ２が形成され、収容部Ｓ２の前側には、開口部６５（図１参照）に相当する開口部９４が形成される。収容部Ｓ２には、金属製等で側面視コ字状の蓋収容保持部９９が、前方に開口するように上ケース６０にネジ止め固定されている。その他の構成は第１の実施の形態と同様である。
【００５２】
図６（ｂ）は、蓋収容保持部９９の斜視図である。蓋収容保持部９９には、上側／下側において多数の延設片１０１〜１０３／１０４〜１０６が前方に延設されている。上側の延設片１０１〜１０３の各先端部には、側面視半円状に下方に湾曲した係止部９７が形成されている。延設片１０１〜１０３は、それぞれ長さが異なり、それに応じて係止部９７の位置も前後方向に異なっている。延設片１０１〜１０３は、鍵並び方向に沿って順番に多数設けられている。下側の１０４〜１０６においても同様に、各先端部には、側面視半円状に上方に湾曲した係止部９８が形成され、係止部９８の位置が前後方向に３段階に異なっている。
【００５３】
また、本実施の形態では、シート蓋６２に代えて、折り畳み式シート蓋１０７が採用される。折り畳み式シート蓋１０７は、鍵並び方向に沿った複数の回動支点９６を介して短冊状部材９５が（開蓋状態における前後方向に沿って）複数接続されてなる。短冊状部材９５は、鍵並び方向の長さがシート蓋６２と同じである板状部材であり、樹脂や木質材等で構成される。隣接する短冊状部材９５は介在する回動支点９６を介して回動自在である。折り畳み式シート蓋１０７の先端（最前の短冊状部材９５の前縁）には、棒状部材６３が取り付けられている（図６（ａ）には図示せず）。
【００５４】
折り畳み式シート蓋１０７の先端の棒状部材６３を前方に引っ張ると、短冊状部材９５が水平に近くなっていき、やがて、すべての短冊状部材９５が水平なシート状になって閉蓋状態となる。開蓋する際には、棒状部材６３を後方に押すと、短冊状部材９５が徐々に折り畳まれ、最終的には、蓋収容保持部９９の内側にすべての短冊状部材９５が前後方向に積層状態となる。すなわち、折り畳み式シート蓋１０７が折り畳まれて収容される。
【００５５】
ここで、各短冊状部材９５の隣接する回動支点９６間の長さは、延設片１０１〜１０３と延設片１０４〜１０６との間隔よりやや短く、折り畳み式シート蓋１０７が折り畳まれた状態では、各短冊状部材９５はほぼ垂直に起立する。また、延設片１０１〜１０６は弾性を有し、折り畳み式シート蓋１０７の開閉操作時において、係止部９７、９８に短冊状部材９５が係合する。従って、開閉途中においても、蓋収容保持部９９内にある短冊状部材９５は容易に倒れずに斜めに起立する。このため、開閉操作が円滑である。
【００５６】
本実施の形態によれば、第１の実施の形態と同様の効果を奏することができる。
【００５７】
なお、本実施の形態においても、折り畳み式シート蓋１０７が自然に折り畳み状態になるような付勢力を、各回動支点９６に設けてもよい。そのようにすれば、折り畳み操作が容易になる。
【００５８】
なお、係止部９７、９８は前後方向における３段階に異なる位置に設けたが、１つ以上であれば、いくつ設けてもよい。
【００５９】
なお、上記各実施の形態において、棒状部材６３、９１あるいは折り畳み式シート蓋１０７の前端に、取っ手を１つ以上設けてもよい。例えば、棒状部材６３、９１の左右端部よりやや中央寄りの位置に、取っ手を１つずつ設けることで、両手操作が容易になる。
【００６０】
なお、上記各実施の形態において、電子鍵盤楽器を例にとったが、アコースティックの鍵盤楽器にも、各実施の形態の鍵盤蓋構造を適用可能である。
【図面の簡単な説明】
【００６１】
【図１】本発明の第１の実施の形態に係る鍵盤蓋構造が適用される鍵盤装置の縦断面図である。
【図２】前板部の正面図（図（ａ））、前板部の変形例を示す正面図（図（ｂ））、シート蓋の収容状態を示す収容部の拡大図（図（ｃ））である。
【図３】シート蓋の前部の平面図（図（ａ））、変形例のシート蓋の前部の平面図（図（ｂ））である。
【図４】本発明の第２の実施の形態に係る鍵盤蓋構造が適用される鍵盤装置の前半部の平面図（図（ａ））、左側の腕木の斜視図（図（ｂ））、左側の腕木の前部の断面図（図（ｃ））である。
【図５】本発明の第３の実施の形態に係る鍵盤蓋構造が適用される鍵盤装置の縦断面図である。
【図６】本発明の第４の実施の形態に係る鍵盤蓋構造の模式図（図（ａ））、蓋収容保持部の斜視図（図（ｂ））である。
【符号の説明】
【００６２】
２０ａ  白鍵本体、  ２０ａ１  後部、  ４０ａ  黒鍵本体、  ４０ａ１  接続部（後部）、  ６１  巻き取りローラ、  ６２  シート蓋（鍵盤蓋）、  ６２ａ  前縁、  ６３、９１  棒状部材（把持部）、  ６５、９４  開口部、  ９５  短冊状部材、  １００  楽器本体、  １０７  折り畳み式シート蓋（鍵盤蓋）、  ＫＢ  鍵盤、  Ｓ１、Ｓ２  収容部
【図１】
2008083284.tif 000003
【図２】
2008083284.tif 000004
【図３】
2008083284.tif 000005
【図４】
2008083284.tif 000006
【図５】
2008083284.tif 000007
【図６】
2008083284.tif 000008